(57)【要約】【課題】本発明は、高い血流効果や患部の改善・治療効果を有し、しかも使用性に優れた貼付剤を提供する。【解決手段】伸縮性の不織布や編み布などの伸縮性シートの片面に複数個の突起が設けられた支持体の突起を有する面に、（Ａ）ポリアクリル酸及び／又はその塩、（Ｂ）架橋剤を配合したポリアクリル酸系含水ゲルが塗工されてなることを特徴とする貼付剤、とする。好ましくは、さらに架橋型ポリアクリル酸及び／又はその塩、ヒマシ油などの油性成分を含有する含水ゲルとする。【選択図】  図１
2004298474.tif 000002
【特許請求の範囲】
【請求項１】
伸縮性シートの片面に複数個の突起が設けられた支持体の突起を有する面に
（Ａ）ポリアクリル酸及び／又はその塩、
（Ｂ）架橋剤
を配合した含水ゲルが塗工されてなることを特徴とする、貼付剤。
【請求項２】
含水ゲルに、更に（Ｃ）架橋型ポリアクリル酸及び／又はその塩を配合することを特徴とする、請求項１に記載の貼付剤。
【請求項３】
（Ａ）＋（Ｃ）の合計が７．５質量％以上であることを特徴とする、請求項１または２記載の貼付剤。
【請求項４】
含水ゲルに、更に架橋調節剤を配合することを特徴とする、請求項１〜３に記載の貼付剤。
【請求項５】
突起付き支持体のシート部が編み布である、請求項１〜４に記載の貼付剤。
【発明の詳細な説明】
【０００１】
【発明が属する技術分野】
本発明は、支持体に突起物を設けた、血流促進・患部の改善・治療効果に優れた貼付剤に関する。
【０００２】
【従来の技術】
従来、肩こりや腰痛、疲労による足の浮腫みなどには、マッサージや指圧による治療がなされている。指圧効果を得るための用具として、突起を設けた指圧具が知られている（実開昭６１−９４０２８）。しかし、これは外力を加え続ける必要があり、長時間施術を続けることは、一般的には難しい。長時間の指圧効果を実現する用具には、装着しただけで指圧効果（ツボ押し効果）が得られる用具として、伸縮性のバンド体の身体側に凸部を設けた用具がある。例えば健康具（特開平９−２２０２７１）、腹帯（特開平１１−２７６５４６）、ヘッドバンド（実用新案登録３０６９０２３）などが提案されている。しかし、これらは身体に巻きつけて用具を固定しなければならず、良好な指圧効果を得る程度の強さで固定すると、締め付けによる不快感や、血流が悪くなるなどの問題が生じる。また、突起が身体やバンドの動きに追随し患部への固定が十分とは言えず、押圧効果も必ずしも満足できるものではない。
【０００３】
一方、肩こりや腰痛、疲労による足の浮腫みなどを改善する貼付剤が広く使用されている。これは、貼付剤の膏体に消炎鎮痛剤や血流促進剤を配合し、これらの薬物を経皮吸収させることによって、前記症状を緩和・治療するものである。しかし、貼付から効果を実感するまでのタイムラグがあるなど速効性に不満足感があり、更に高い効果が期待される。前記課題を改善する技術として、貼付面に突起や凹凸を設けることが提案されている。例えば、経皮吸収性の向上（特開昭５７−１７５１１４、特開昭５８−３８２１２）や、薬物放出性の制御（特開平６−１３５８２７、特開平７−３３０５９０）、そしてマッサージ効果（特開平８−２６０３３０、特開平１１−２５５６３５）を目指したものである。
【０００４】
中でも、マッサージ効果を期待した貼付物あるいは貼付具においては、皮膚への圧迫圧によって突起によるマッサージ効果が発揮され、さらに突起部分が磁性を帯びており磁気で症状を緩和するものもある。しかし、強い圧迫圧を得るためには、感圧接着剤に代表される、接着力の極めて高い非水系接着剤を用いて、貼付剤の突起部を皮膚面に固定する必要があった。しかし、これらの接着剤は剥離時の皮膚に対するピーリング作用が強く、かぶれを引き起こしやすいという問題がある。また、突起が直接押圧される痛みにより、長時間使用しづらいという課題があった。また、ゼラチン系の含水ゲルは、皮膚への接着力が弱く、圧迫圧が十分得られない課題があった。
したがって、より高い肩こりや腰痛、疲労による足の浮腫みなどの改善効果と、締め付けや皮膚に対するダメージがない、使用感が良好な用具が望まれていた。
【０００５】
【特許文献１】
特開昭５７−１７５１１４
【特許文献２】
特開昭５８−３８２１２
【特許文献３】
特開平６−１３５８２７
【特許文献４】
特開平７−３３０５９０
【特許文献５】
特開平８−２６０３３０
【特許文献６】
特開平１１−２５５６３５
【０００６】
【発明が解決しようとする課題】
本発明は、高い有効性を発揮し、かつ皮膚への刺激や締め付けによる不快感、突起による痛みがなく、使用性に優れた貼付剤を提供することを課題とする。
【０００７】
【課題を解決する手段】
本発明者らは、検討の結果、伸張性・伸縮性を有するシート（例えば織布、不織布又はフィルム）に突起を設けた支持体に、ポリアクリル酸系含水ゲルを塗布した貼付剤とすることによって、
▲１▼支持体を伸張させて貼付することによる圧迫圧
▲２▼突起による優れた刺激性、含水ゲルが有する冷却効果
▲３▼含水ゲル層による突起固定性とクッション性による効果的な押圧効果と突起物の痛み緩和
によって、高い血流改善効果が得られ、しかも皮膚刺激性が低く長時間の使用が可能な外用貼付剤とすることを見出した。
即ち、本発明は、
【０００８】
〔１〕伸縮性シートの片面に複数個の突起が設けられた支持体の突起を有する面に
（Ａ）ポリアクリル酸及び／又はその塩、
（Ｂ）架橋剤
を配合した含水ゲルが塗工されてなることを特徴とする、貼付剤。
〔２〕含水ゲルに、更に（Ｃ）架橋型ポリアクリル酸及び／又はその塩を配合することを特徴とする、〔１〕に記載の貼付剤。
〔３〕（Ａ）＋（Ｃ）の合計が７．５質量％以上であることを特徴とする、〔１〕または〔２〕記載の貼付剤。
〔４〕含水ゲルに、更に架橋調節剤を配合することを特徴とする、〔１〕〜〔３〕に記載の貼付剤。
〔５〕突起付き支持体のシート部が編み布である、〔１〕〜〔４〕に記載の貼付剤。
を提供する。
【０００９】
【発明の実施の形態】
＜突起付き支持体＞
本発明の貼付剤に使用する支持体は、伸縮性シートの片面に、複数個の突起が設けられたものである。
（１）伸縮性シート
伸縮性シートとしては、不織布、編布などの繊維シート、樹脂シートあるいはそれらの積層体を好ましく使用することができる。
繊維シートの素材は、ポリエステル、ウレタン、ポリエチレン、ポリプロピレン、ポリアミド、ポリ塩化ビニル、ポリビニルアルコール等の熱可塑性の繊維が好ましい。特に好ましくは、ポリエステル、ポリエチレンを使用する。前記熱可塑性繊維に、必要に応じてレーヨン、キュプラ、麻、絹などの非熱可塑性繊維を混紡してもよい。樹脂シートの素材は、透湿性を有する樹脂フィルムや発泡樹脂、ゴムのシート材が好ましく、特にウレタンフィルム、発泡ウレタンシート、ゴムが好ましい。好ましいシートは編み布または不織布であり、特に好ましくは編み布である。
【００１０】
支持体の伸張性は、好ましくは５０％モジュラス値が５〜５０００ｇの範囲であることが好ましい。詳しくは、支持体の幅方向の５０％モジュラス値ａが１０〜５０００ｇ、より好ましくは２０ｇ〜３０００ｇ、特に好ましくは５０〜２０００ｇであり、支持体の流れ方向の５０％モジュラス値ｂが５０ｇ以上、好ましくは１００ｇ以上、より好ましくは３００ｇ以上である。この範囲で、密着性が高く、かつゲルの展延など製造性も優れた貼付剤とすることができる。（流れ方向の伸張性はなくても良い。）なお、前記５０％モジュラスは、５０ｍ／ｍ幅×１００ｍ／ｍ長の試験片において、１５０ｍ／ｍまで伸張させた後、解除させたときの最大荷重を意味する。（ＪＩＳ・Ｌ１０８５不織布しん地試験方法に準ずる）
【００１１】
また、支持体の幅方向の５０％伸張回復率は、３０％以上であることが好ましく、より好ましくは６０％以上である。伸張回復率が高いと、突起の刺激感を強く感じ、高い効果を得ることができる。前記５０％伸張回復率は、５０ｍ／ｍ幅×１００ｍ／ｍ長の試験片において、１５０ｍ／ｍまで伸張させた後、解除させたときの残留伸び（戻った長さ）Ｂ（ｍｍ）、初期の長さ（＝１００ｍｍ）Ａとすると、下記式で求めることができる。
５０％伸張回復率（％）＝１００−（Ｂ−Ａ）×１００／Ａ
式中、Ｂは残留伸び（ｍｍ）、Ａは初期の長さ（１００ｍｍ）を表わす。
【００１２】
支持体シートの厚みは、１０〜２００μｍのものを使用すると、突起の刺激感が良好である。繊維シートの場合、目付けは９０ｇ／ｍ２〜３００ｇ／ｍ２の範囲のものが好ましい。また、樹脂シートの場合、透湿度３００ｇ／ｍ２・２４ｈ（測定法：ＪＩＳＺ０２０８；カップ法、条件Ａ）以上、好ましくは３００〜２０００ｇ／ｍ２・２４ｈであると、長時間貼付しても蒸れや膏体のダレがない良好な貼付剤が得られる。
【００１３】
＜２＞突起物
本発明の支持体は、前記伸縮性シートの片面に、複数個の突起物を設けたものである。突起の素材は、貼付した際に身体に押圧効果を付与できる固さのものならば特に制限はなく、例えば、合成樹脂、セラミクス、金属、繊維塊などがあげられる。
【００１４】
合成樹脂の例としては、発泡ポリウレタン、ポリウレタン、ゴム、ポリエチレン、ポリプロピレン、ポリエステル、アクリル、ポリアミド、ポリスチレン、などがあげられる。好ましい合成樹脂は、ポリウレタン、発泡ポリウレタン、ゴムなどの弾力性を有するものである。
【００１５】
セラミクスの例としては、アルミナ、ムライト、ジルコニア、窒化珪素、窒化アルミニュウム、サイアロン、  炭素等を含有する高温焼成体があげられる。  金属の例としては、金、白金、チタンまたはフェライト等の磁性体合金があげられる。  鉱石の例としては、トルマリン、黄鉄鉱、ダイアモンド等があげられる。植物体の炭化物である、炭、石炭を使用することもできる。繊維塊は、繊維を圧縮して得られる。繊維の例としては、綿、シルク、レーヨン、ナイロン、ポリエステル、ポリプロピレン等の繊維塊があげられる。
【００１６】
本発明に使用する支持体の突起は、硬さが２００ｇ／ｍｍ以上（例えば、テクスチャーアナライザー（ステーブルマイクロシステム社製）で測定することができる）、さらに３５０ｇ／ｍｍ以上であることが好ましい。前記の硬さとすると、特に良好な患部の改善・治療効果が得られる。また、突起を１ｍｍ圧縮する為の応力が３Ｎ以上を有する弾力性を有することが好ましい。これらの物性を備える突起とすることで、特に良好な血流促進効果が得られる。
【００１７】
突起の最大径は２ｍｍ〜１０ｍｍ、高さは２〜７ｍｍであることが好ましく、さらに好ましくは、径２．５ｍｍ〜７ｍｍ、高さ２．５ｍｍ〜５ｍｍである。この範囲で、突起による押圧効果に優れ、しかも本発明のポリアクリル酸系含水ゲルを均一に突起側に塗布することが可能である。
【００１８】
本発明の支持体は、前記突起物が、前記シートの片面に、２〜１４個／４ｃｍ２、好ましくは４〜１２個／４ｃｍ２、突起の底面積が、支持体面積の５〜８０％、好ましくは１０〜７０％、より好ましくは２０〜６０％であることが好ましい。
【００１９】
また、本発明の支持体は、突起物を設けた突起形成部と、その周囲を囲む平坦部（突起がない部分）を有することが好ましい。突起形成部の面積（突起群の最も外側の突起を結んだ線の内側）と平坦部の面積比は、突起形成部：平坦部＝１：０．５〜１：３とすることが好ましい。この範囲で、良好な密着性と長時間の貼付性が得られるうえに、良好な貼付使用感（温感、冷感）を維持することができる。詳述すると、貼付剤は、温感刺激剤や発熱剤による温熱感、冷感刺激剤や水の気化熱による冷感によって貼付剤の使用実感をより高くすることができる。しかし、突起物を有する支持体を使用すると、突起の刺激によって、前記冷感や温感を感じにくくなる。特に、経時で温感・冷感の感じ方は低下する。突起を設けない平坦部を突起形成部の周りに設けることによって、長時間貼付しても、突起による刺激と、膏体の温感・冷感を同時に感じることが可能な、使用感が良い貼付剤とすることができる。
【００２０】
＜粘着ゲル＞
本発明の効果を得るための粘着ゲルは、ポリアクリル酸系の含水ゲルである。ポリアクリル酸系の含水ゲルは、他の含水ゲルと比較して、粘着性・保形性が強く、適度な弾力性・柔軟性を有するため、伸縮性の突起付き支持体を使用した場合、効果的に突起を身体に押圧・圧迫し、本発明の優れた効果が得られるものである。樹脂接着剤やゴム系接着剤は、突起と粘着面との境界に空隙が生じやすく、突起の刺激感が薄れてしまう。また、ゼラチンを主成分とする他の含水ゲルは、接着力・保形性、弾力性が十分でなく、本発明の効果が得られない。
以下に、本発明のポリアクリル酸系含水ゲルの組成について、詳述する。
【００２１】
＜粘着ゲル組成＞
（１）ポリアクリル酸、ポリアクリル酸塩
本発明の含水ゲルは、ポリアクリル酸及び／又はその塩を必須配合成分とし、これを架橋させて、含水ゲルのマトリクスを形成したものである。ポリアクリル酸、ポリアクリル酸塩としては直鎖状または分岐鎖状等のいずれも使用可能であり、重量平均分子量１万〜１０００万のものを用いることが好ましい。特に重量平均分子量が１万〜５０万未満と５０万〜７００万の２種類以上、さらには重量平均分子量が１万〜５０万未満、５０万〜２００万未満、２００万〜７００万の３種類以上を組み合わせて使用することが好ましい。前記平均分子量を有するポリアクリル酸（塩）を２種あるいは３種以上組み合わせると、使用感が向上するので好適である。
【００２２】
ポリアクリル酸塩としてはポリアクリル酸ナトリウム、ポリアクリル酸カリウム等の一価金属塩、ポリアクリル酸モノエタノールアミン、ポリアクリル酸ジエタノールアミン、ポリアクリル酸トリエタノールアミン等のアミン塩、ポリアクリル酸アンモニウム塩等があげられる。強いゲル強度を有するマトリックスとするためには、一価金属塩（Ｎａ、Ｋなど）またはトリエタノールアミン塩が好ましい。
【００２３】
さらに良好な含水ゲルとするには、ポリアクリル酸／ポリアクリル酸塩を併用した組成とする。これらの含有比（質量比）はポリアクリル酸／ポリアクリル酸塩＝１／１０〜１０／１、特に１／９〜９／１とすることが好ましい。なお、ポリアクリル酸／ポリアクリル酸塩を併用する場合は、ポリアクリル酸の一部中和物を使用して酸と塩の比率が前記比率になるように調整した場合も概念として含むものとするが、好ましくはポリアクリル酸及びポリアクリル酸塩の２種類を組み合わせて配合する。
【００２４】
（２）架橋型ポリアクリル酸（塩）
本発明では前記ポリアクリル酸、ポリアクリル酸塩のほか、予め架橋されたポリアクリル酸系重合体（例えばカルボキシビニルポリマー（カーボポール：米国グッドリッチ社製、アキュぺック：住友精化製、等が市販されている）、アクリル酸メタクリル酸アルキル共重合体）を配合することが好ましい。
突起付き支持体に本発明のポリアクリル酸系含水ゲルを塗布する際、突起の存在によって、均一な塗布が困難で、気泡も入りやすい。架橋型ポリアクリル酸（塩）を配合することによって、ゲルの均一塗工が可能となり、突起周辺部への気泡混入を防止する効果も得られる。さらに、弾力性に富んだ使用感を有し、特に足裏、肘、ひざ等体重がかかる部位においては、突起の刺激感を伝達させると共に、クッション性を付与できる優れた含水ゲルが得られる。  特に、０．２％水溶液粘度が１５０００〜５００００ｍＰａ／ｓである架橋型ポリアクリル酸（塩）が好ましい。
【００２５】
ポリアクリル酸（塩）、架橋ポリアクリル酸（塩）の総含有量は、組成物中７．５質量％であることが好ましい。好ましくは、７．５〜１０質量％、より好ましくは８〜９．５質量％とする。この範囲で、本発明の効果が特に良好である。
また、架橋型ポリアクリル酸の配合量は、ポリアクリル酸（塩）と架橋型ポリアクリル酸（塩）総量に対して、０〜４０質量％、好ましくは５〜４０質量％配合することが好ましく、より好ましくは６〜２０質量％配合することが好ましい。
【００２６】
（３）併用すると好ましい他の水溶性高分子
上記ポリアクリル酸系高分子の他に、他の水溶性高分子を含有することもできる。それらの高分子としては、ヒドロキシプロピルセルロース、ゼラチン、カルボキシメチルセルロース、ポリビニルアルコール、ポリビニルピロリドン、ポリエチレンオキサイド、ヒドロキシプロピルセルロース、ヒドロキシエチルセルロース、メチルセルロース、アルギン酸、カルボキシメチルスターチ、キサンタンガム、アラビアガム、トラガントガム、カラヤガム等や、それらの塩をあげることができる。好ましい高分子はカルボキシメチルセルロース、ポリビニルアルコール、ポリビニルピロリドン、ポリエチレンオキサイド、ヒドロキシプロピルセルロース、ヒドロキシエチルセルロース、である。特に好ましくは、カルボキシメチルセルロース及びその塩である。
前記他の高分子化合物の合計配合量はゲル組成物全体の０．１〜２０質量％の範囲で使用し、好ましくは０．５〜１５質量％、より好ましくは１．０〜１０質量％、特に好ましくは４．５〜６質量％である。
【００２７】
（４）架橋剤、架橋調節剤
前記高分子を架橋するための架橋剤としては、アルミニウム、マグネシウムを含有する多価金属塩が好ましく使用され、例えばケイ酸アルミン酸マグネシウム、水酸化アルミナマグネシウム、メタケイ酸アルミン酸マグネシウム、合成ヒドロタルサイト、ジヒドロキシアルミニウムアミノアセテート、ミョウバン等の水難溶性架橋剤、水溶性架橋剤が挙げられる。好ましくは水難溶性架橋剤を使用する。これらは１種単独で又は２種以上を適宜組み合わせて使用することができる。
架橋剤の配合量は、その種類や併用する上記水溶性高分子化合物の種類等により適宜選定することができるが、通常、含水ゲル全体の０．００５〜３重量％、好ましくは０．０３〜１重量％程度である。配合量が少なすぎると十分なゲル強度が得られず、多すぎると硬化速度を調整することが困難となる場合がある。
さらに、エデト酸ナトリウム、クエン酸、酒石酸等の架橋調節剤を０．０５質量％〜２質量％配合することにより、架橋速度を調節し、ゲル塗工時に、好適なゲル硬度を維持することが可能となる。
【００２８】
（５）水
本発明のポリアクリル酸系含水ゲル中に含有される水の量は、好ましくは６５質量％以上（６５〜９５％、特に６５〜９０％）、より好ましくは７０質量％以上（７０〜９５％、特に７０〜９０％）である。高含水率とすることで、貼付部位への高い冷却力を付与できるため、患部の治癒・改善効果に優れ好ましい。
【００２９】
（６）多価アルコール
多価アルコールを配合すると、ゲルの保形性が向上するため、好ましい。また、ゲル製造持に配合成分の分散性を高めるため、製造性の面でも有用である。
多価アルコールの例としては、具体的には、１，３−ブタンジオール、エチレングリコール、プロピレングリコール、ブチレングリコール、イソプレングリコール、アミレングリコール、グリセリン、ジグリセリン、トリグリセリン、ポリグリセリン、ジエチレングリコール、ジプロピレングリコール、ジエチレングリコールモノアルキルエーテル、ポリエチレングリコール、ポリプロピレングリコール、ポリエチレングリコール・ポリプロピレングリコール類、ソルビトールなどが挙げられる。
このなかでも、エチレングリコール、プロピレングリコール、イソプレングリコール、ポリエチレングリコール、ポリプロピレングリコール、ポリエチレングリコール・ポリプロピレングリコール、ジエチレングリコールモノアルキルエーテル、グリセリン、ジグリセリン、トリグリセリン、ポリグリセリン等が好ましく、特に好ましくはジエチレングリコールモノアルキルエーテル、イソプレングリコール、ポリエチレングリコール、ポリエチレングリコール・ポリプロピレングリコール、ポリプロピレングリコール、グリセリンである。
本発明における上記多価アルコールの含有量は、組成物全体の０．１〜３０質量％であることが好ましく、より好ましくは０．１〜２０質量％、特に好ましくは０．１〜１５質量％である。
【００３０】
（７）油性成分
油性成分を配合すると、気泡がない貼付剤が得られるため、好ましい。
本発明の突起付き支持体へ含水ゲルを塗布する際、平坦な支持体と異なり、突起によって空気を巻きこみやすいため、貼付剤のゲル層に気泡が入りやすいという問題がある。油性成分の存在によって、含水ゲルの支持体、特に疎水性素材の支持体や突起への密着性が向上するため、空気の巻きこみが抑制され、気泡がない貼付剤が得られるものと推測される。また、突起部分の剥離フィルム（粘着剤保護フィルム）との密着性が良好である。油性成分としては、
・ヒマシ油、オリーブ油、ヒマワリ油、カカオ油、パーム油、椿油、カロット油、大豆油、ナタネ油、ヘーゼルナッツ油、マカデミアナッツ油、ヤシ油、木ロウ、ホホバ油、グレープシード油、ローズヒップ油、アボガド油等の植物油脂類
・シリコーン油
・ミンク油、卵黄油等の動物油脂類
・ミツロウ、鯨ロウ、ラノリン、カルナウバロウ、キャンデリラロウ等のロウ類
・流動パラフィン、スクワラン、スクワレン、マイクロクリスタリンワックス、セレシンワ  ックス、パラフィンワックス、ホホバワックス、ワセリン等の炭化水素類
・ラウリン酸、ミリスチン酸、ステアリン酸、オレイン酸、イソステアリン酸、ベヘニン酸  等の天然および合成脂肪酸類
・セタノール、ステアリルアルコール、セトステアリルアルコール、ヘキシルデカノール、  オクチルドデカノール、ラウリルアルコール等の天然および合成高級アルコール類
・ミリスチン酸イソプロピル、パルミチン酸イソプロピル、ミリスチン酸オクチルドデシル  、オレイン酸オクチルドデシル、コレステロールオレート等のエステル類等
があげられる。
上記油性成分中、ヒマシ油、オリーブ油、ヒマワリ油、マカデミアナッツ油、ホホバ油、が気泡抑制に効果が高く、特にヒマし油、マカデミアナッツ油、ホホバ油、が好ましい。
油性成分の含有量は、含水ゲル組成物中、０．１〜５質量％、好ましくは０．５〜３質量％の範囲とする。
【００３１】
（８）血流促進剤
本発明の含水ゲルに、血流促進剤を使用すると、患部の治療・改善効果が向上するため、好ましい。
トコフェロール、カプサイシン、ケイヒアルデヒド、ジンゲロール、メントール、カンフル、ノニル酸ワニリルアミド、ワニリルアルキルエーテル、ニコチン酸ベンジル等、及びこれらの誘導体があげられる。また、前記化合物を含有する植物抽出物を使用することもできる。他の血流促進剤として、トルマリン、活性炭、磁性体等を使用することもできる。
前記血流促進剤の中で、メントール類、カンフル類を使用すると、血流促進の他に冷感を付与することができる。カプサイシン類、ノニル酸ワニリルアミド、ニコチン酸ベンジル、ワニリルアルキルエーテルを使用すると、温感を付与することができる。
血流促進剤の含有量は、含水ゲル組成物中、０．００１〜１０質量％、好ましくは０．０１〜５質量％の範囲とする。
【００３２】
（８）消炎鎮痛成分
本発明の含水ゲルに、消炎鎮痛成分を使用すると、患部の治療・改善効果が向上するため、好ましい。
消炎鎮痛成分としては、
・抗炎症剤（サリチル酸メチル、サリチル酸グリコール、グリチルレチン酸及びその誘導体、アラントイン、インドメタシン、ケトプロフェン等）、
・局所麻酔剤（リドカイン、塩酸リドカイン、塩酸ジブカイン、アミノ安息香酸エチル等）
・サンシシエキス、オウバクエキス等の消炎鎮痛効果を有する生薬、
等、貼付剤に配合できる消炎効果・鎮痛効果を有する薬剤を、任意に選択し配合することがで  きる。
消炎鎮痛成分の含有量は、含水ゲル組成物中、０．１〜１０質量％、好ましくは０．３〜５質量％の範とする。
【００３３】
（９）他の有効成分
本発明の貼付剤に使用する含水ゲルには、目的に応じて、上記以外の各種有効成分を配合することができる。以下に例示するが、これに限定されるものではない。
（アミノ酸）
グリシン、アラニン、アスパラギン酸、グルタミン酸、アルギニン、セリン、リジン、ロイシン等およびその塩等、
（動植物由来成分）
ヒアルロン酸ナトリウム、コンドロイチン硫酸ナトリウム、ヘパリン、コラーゲン等のムコ多糖、エラスチン、乳清、胎盤抽出物、臍帯抽出物、キチン誘導体、キトサン誘導体、大豆蛋白、アルギン酸ナトリウム、ペクチン、カラギーナン、アラントインおよびその誘導体、コメヌカ抽出物、アロエ抽出物、トレハロース、セラミド、大豆リン脂質、ユズ抽出物、コレウス抽出物、甘草抽出物、甘草抽出末、コメヌカ発酵エキス、アルニカ抽出物、スギナ抽出物、シナノキ抽出物、トウキンセンカ抽出物、セイヨウキヅタ抽出物、カミツレ抽出物、ビワ葉抽出物、マロニエ抽出物、ヨモギ抽出物、ダイズ抽出物などのイソフラボン類含有植物抽出物、メリッサ抽出物、セイヨウノコギリソウ抽出物、バーチ抽出物、アルテア抽出物、オウバク抽出物、クジン抽出物、クロレラ抽出物、グレープフルーツ抽出物、コンフリー抽出物、センブリ抽出物、タイソウ抽出物、オタネニンジン抽出物、ニンニク抽出物、ブクリョウ抽出物等
（海藻抽出物）
アオサ科、オゴノリ科、テングサ科、ミリン科、コンブ科、アイヌワカメ科、ホンダワラ科、ヒバマタ科、フノリ科、ヒトエグサ科、ミル科、ウシケノリ科、スギノリ科、カギノリ科、イバラノリ科、ナガマツモ科、モヅク科、ダービリア科、レッソニア科およびダルス科に属する海藻等の抽出物
（その他）
乳酸塩、ピロリドンカルボン酸塩、尿素、アミノ酪酸、フィトスフィンゴシン、セラミド、トコトリエノール、クレアチニン、酸化型コエンザイムＡ・８ナトリウム等
これらの他の有効成分量は、各製剤の目的効果に応じて適宜調整されるが、通常、組成物全体の０．１〜２０質量％が好ましく、より好ましくは１．０〜１０質量％である。
【００３４】
（１０）その他の添加成分
さらに、本発明の貼付剤に使用する含水ゲルには、通常皮膚外用シート剤に添加される各種成分を、本発明の効果を損なわない範囲で配合することができる。それらの例としては、界面活性剤などの溶解・分散補助剤、粘土鉱物や金属酸化物などの充填剤、防腐剤、酸化防止剤、香料、消臭剤、色素などがあげられる。
【００３５】
溶解・分散補助剤としては、ポリグリセリン脂肪酸エステル、ポリオキシエチレングリセリン脂肪酸エステル、ソルビタン脂肪酸エステル、ポリオキシエチレンソルビタン脂肪酸エステル、ポリオキシエチレンソルビット、脂肪酸エステル、ポリオキシエチレンラノリンアルコール、ポリオキシエチレンラノリン、ポリオキシエチレン硬化ヒマシ油、ポリオキシエチレンステロール、ポリエチレングリコール脂肪酸エステル、ポリオキシエチレンアルキルエーテル、等の界面活性剤があげられる。（含有量０．１〜５質量％）
【００３６】
充填剤としては、カオリン、タルク、ベントナイトなどの粘土鉱物、酸化チタン、酸化亜鉛、粒子状シリカなどがあげられる。（含有量０．１〜５質量％）
防腐剤としては、パラベン類、安息香酸（塩）、ソルビン酸（塩）、等があげられる。（含有量０．０５〜２質量％）
酸化防止剤としては、ジブチルヒドロキシトルエン、トコフェロール誘導体、トコトリエノールなどがあげられる。（含有量０．００１〜１質量％）
【００３７】
香料は、外用剤に使用可能な香料成分（テルペン系化合物など）を用いて、目的の香に応じ、適宜調整することができる。また、植物精油等の天然香料を使用することも好ましい。例えば、アロマテラピー効果を有する香料を配合した貼付剤とすることもできる。以下に好ましい天然香料を示すが、これらに限定されるものではない。
（天然香料の例）
アニス、アンジェリカ、安息香、イモーテル、イランイラン、エレミ、オリガナム、オレンジ、カモミール、カユプテ、ガーリック、カルダモン、ガルバナム、カンファー、キャラウエイ、キャロットシード、キンモクセイ、グアヤックウッド、クミン、クラリーセージ、グレープフルーツ、クローブ、コリアンダー、サイプレス、サンダルウッド、サントリナ、シダーウッド、シトロネラ、シナモン、ジュニパー、ショウガ、スズラン、スターアニス、セージ、スペアミント、ペパーミント、ハッカ、セージ、ゼラニウム、セロリ、タイム、タジェッツ、タラゴン、タンジェリン、ティトリー、ディル、テレビン、トウヒ、ナツメグ、ニアウリ、乳香、ネロリ、バイオレット、パイン、パセリ、バーチ、パチュリー、バラ、パルマローザ、ヒソップ、ピメント、ファー、フェンネル、プチグレン、ブラックペッパー、ベチバー、ベルガモット、ボダイジュ花、マージョラム、マートル、マンダリン、ムスク、竜ぜん香、メリッサ、没薬、ヤロウ、ユーカリ、ライム、ラズベリー、リツァクベバ、ライラック、レモン、レモングラス、レモンバーベナ、ローズマリー、ローズウッド、ローレル、モモ、ヤグルマギク、ユズ、スパイクラベンダー、ラベンダー、ラバンジン、チューベローズ、アマゾンリリー、龍脳等
香料の配合量は、適宜選定することができるが、通常、組成物全体の０．０００５〜１０質量％、好ましくは、０．００１〜５質量％である。
【００３８】
消臭剤（基剤臭や人体（足の裏など）から発生する臭い等の消臭）としては、上述した香料類を用いてをマスキングする他、メチルパラベン、プロピルパラベン、安息香酸、イソプロピルメチルフェノール、フェニルアルコール、ベンザルコニウム塩、セチルピリジニウム塩、グルコン酸クロルヘキシジン、ポリアルキルベタインや、銀ゼオライト類などの銀含有防腐剤、フラボノイド、タンニン及びこれらを含有する植物抽出物などの公知の消臭・防臭効果を有する成分を使用することができる。
【００３９】
＜貼付剤＞
前記突起付き支持体の突起を有する面に、前記含水ゲルを塗布し、含水ゲル表面に保護フィルム（ライナー）を施し、本発明の貼付剤を得ることができる。使用時は、ライナーを剥し、ゲル面を皮膚に貼付すればよい。貼付の際、伸縮性支持体を伸ばして貼付すると、支持体の復元応力によって突起の圧迫が強くなるため、好ましい。
【００４０】
支持体に塗布する含水ゲル量は、５ｇ／１００ｃｍ２〜１０ｇ／１００ｃｍ２が好ましく、さらに好ましくは、５．５ｇ／１００ｃｍ２〜７ｇ／１００ｃｍ２である。この範囲で、特に突起の刺激感を良好に付与し本発明の効果が高く、加重が加わった場合の皮膚表面でのゲルの崩壊が生じにくいため、好ましい。さらに、ゲルの厚みは突起物の高さ／粘着ゲル層の厚さ（突起間の中間地点）＝３／１〜１／１、好ましくは２／１〜５／４の範囲とすることが好ましい。突起間の含水ゲルの厚みが突起の高さよりも薄い場合、含水ゲルは、粘着表面で連続層であることが好ましい。（突起部の厚みは突起間の厚みよりも薄くてかまわないが、１００μｍ以上であることが好ましい）ゲルが貼付表面で連続層となっていることにより、突起の皮膚への固定性がより優れたものとなる。
本発明の好ましい態様を以下にまとめる。
【００４１】
＜１＞伸縮性シートの片面に複数個の突起が設けられた支持体の突起を有する面に
（Ａ）ポリアクリル酸及び／又はその塩、
（Ｂ）架橋剤
を配合した含水ゲルが塗工されてなることを特徴とする、貼付剤。
＜２＞含水ゲルに、更に（Ｃ）架橋型ポリアクリル酸及び／又はその塩を配合することを特徴とする、＜１＞に記載の貼付剤。
＜３＞（Ａ）＋（Ｃ）の合計が７．５質量％以上であることを特徴とする、＜１＞または＜２＞記載の貼付剤。
＜４＞含水ゲルに、更に架橋調節剤を配合することを特徴とする、＜１＞〜＜３＞に記載の貼付剤。
＜５＞含水ゲルに、更に、油性成分を配合することを特徴とする、＜１＞〜＜４＞に記載の貼付剤。
＜６＞含水ゲルに、更に、カルボキシメチルセルロース（塩）を配合することを特徴とする、＜１＞〜＜５＞に記載の貼付剤。
＜７＞含水率が７０％以上である、＜１＞〜＜６＞に記載の貼付剤。
＜８＞含水ゲルに、更にトコフェロール、カプサイシン、ケイヒアルデヒド、ジンゲロール、メントール、カンフル及びこれらの誘導体、これらを含有する植物エキス、トルマリン、活性炭から選ばれる１種または２種以上の血行促進剤を配合してなる、＜１＞〜＜７＞に記載の貼付剤。
＜９＞突起を形成する支持体が編み布である、＜１＞〜＜８＞に記載の貼付剤。
＜１０＞突起付き支持体が、複数の突起が設けられている突起部とこれを包囲する突起を設けない平坦部とからなり、突起部面積：平坦部面積＝１：０．５〜１：３である、＜１＞〜＜９＞に記載の貼付剤。
【００４２】
【発明の効果】
本発明は、伸縮性を有する突起付き支持体と特定の含水系ゲルを組み合わせることによって、支持体の伸張力から生じる身体方向への応力が厚みを有する含水粘着ゲル層により効果的に伝達され、さらに粘着ゲル層に一定以上の深さで埋まった状態の突起物が皮膚に良好に固定されるため、優れた指圧効果を発揮し、患部の高い血流改善・治療効果が得られる。また、柔軟性・弾力性を有する含水ゲル層がクッションとなり突起物による鋭い痛みを感じないため、長時間にわたって心地よい使用感が得られる。
【００４３】
【実施例】
以下に実施例を示す。なお、本発明はこれらの実施例のみに限定されるものではない。
＜実施例１＞
＊含水ゲル１
組成：ポリアクリル酸６．６、ポリアクリル酸ナトリウム２、カルビキシビニルポリマー０．６、カルボキシメチルセルロースナトリウム４．５、合成ヒドロタルサイト０．２５、エデト酸２ナトリウム０．０５、ヒマし油１、グリセリン１２、ポリソルベート８０  ０．７、サリチル酸グリコール１、酢酸トコフェロール０．１、Ｌ−メントール１、植物精油（ラベンダー油０．０５、ローズマリー油０．０１、セージ油０．０１、クラリーセージ油０．００１、タイムホワイト油０．０００５、マリーゴールド油０．０００５）、メチルパラベン０．１、プロピルパラベン０．１、色素（顔料）０．００３、水  残部
製造方法：  含水ゲル１を、下記の支持体に、７ｇ／１００ｃｍ２塗膏し、表面をポリプロピレンフィルムで被服して、縦辺７ｃｍ横辺６．５ｃｍに裁断し、冷感を付与した貼付剤を製した。
【００４４】
（サンプル１）
目付け９４ｇ／ｍ２、横方向のモジュラス３００ｇ、縦方向のモジュラス１０００ｇ、横方向の伸張回復率１０％、縦方向の伸張回復率０％であるポリエステル製不織布（大きさ横１４ｃｍ×縦１０ｃｍ）のほぼ中央部（７×８ｃｍの広さ）に、直径３ｍｍ、高さ３ｍｍの半球形の発泡ウレタン樹脂突起を密度８個／４ｃｍ２設けた突起付き支持体を使用した。
（サンプル２）
サンプル１で使用した支持体の、突起を設けない不織布支持体を使用した。
【００４５】
（サンプル３）
目付け１１０ｇ／ｍ２、縦横の５０％モジュラス４３０ｇ、５０％伸張回復率が８０％であるポリエステルニットに、径４ｍｍ、高さ４ｍｍのアクリル樹脂突起を密度１２個／４ｃｍ２設けた突起付き支持体を使用した。
（サンプル４）
サンプル３で使用した支持体の、突起を設けない編布支持体を使用した。
【００４６】
（サンプル５）
サンプル１で使用した支持体のシート部を、目付け９４ｇ／ｍ２、横方向のモジュラス２００ｇ、縦方向のモジュラス６００ｇ、横方向の伸張回復率６０％、縦方向の伸張回復率１０％であるポリエステル不織布とした支持体を使用した。
【００４７】
（サンプル６）
サンプル１で使用した支持体の発泡ポリウレタン突起を、直径３ｍｍのアクリル製ビーズに替えた支持体を使用した。
【００４８】
（サンプル７）
サンプル１で使用した支持体の突起の大きさ・密度を、直径５ｍｍ、高さ５ｍｍの球形の発泡ウレタン樹脂突起を密度４個／４ｃｍ２設けた突起付き支持体を使用した。
【００４９】
サンプル１〜７の貼付剤の貼付効果を、以下のように評価し、結果を表１に示した。
（ａ）各サンプルを、肩こりを訴えるパネラー５名の左右の肩にそれぞれ貼付し、貼付後〜２０分間の平均血流（レーザードップラー血流計）、及び１時間後の筋硬度（筋硬度計）を測定した。
冷（温）感は、冷（温）感を全く感じない（１点）、冷（温）感をあまり感じない（２点）、冷（温）感をやや感じる（３点）、冷（温）感を感じる（４点）、冷（温）感を強く感じる（５点）とし、その平均点で評価した。（ｎ＝１０）
（ｂ）各貼付剤を就寝前に左右の足の裏に貼付し、翌朝、足の疲れの改善度を評価した。
（評価：非常に改善した（５点）、かなり改善した（４点）、少し改善した（３点）、やや改善した（２点）、改善しなかった（１点）とし、平均点で評価した（ｎ＝１０）。）
（ｃ）各貼付剤を、慢性的な腰痛を訴えるパネラーの腰部に貼付し、使用後の腰痛改善感を評価した。（非常に改善した（５点）、かなり改善した（４点）、少し改善した（３点）、やや改善した（２点）、改善しなかった（１点）とし、平均点で評価した（ｎ＝１０）。）
【００５０】
【表１】
2004298474.tif 000003
【００５１】
＜実施例２＞
サンプル１で使用した支持体に、表２に示す含水ゲルを７ｇ／１００ｃｍ２塗膏し、表面をポリプロピレンフィルムで被服して、縦辺７ｃｍ横辺６．５ｃｍに裁断し、冷感又は温感を付与した貼付剤を製した。
【００５２】
【表２】
2004298474.tif 000004
【００５３】
また、本発明の各貼付剤を皮下出血部位に貼付したところ、皮下出血の消退日数が平均４日であった。（比較品であるサンプル２、４では７日）
【図面の簡単な説明】
【図１】本発明の突起付き貼付剤に使用する支持体の一例を示す図である。
【図１】
2004298474.tif 000005